(57)【要約】【課題】調製液状乳の容器の口部の構造に広く適用し、反対側に乳首を装着することができる器具を提供する。【解決手段】一方側には開口方向に向かって拡開するテーパ部が設けられ、他方側には開口方向に向かって拡開する逆テーパ部と、この逆テーパ部に連続した雄ネジを有する円筒部を有し、前記テーパ部の内壁面には、液体を収容した容器の開口を挿入するための容器装着部が同心状に複数設けられる。容器装着部は、テーパ部の内壁面から長手方向に向かって突出した筒状である。別途、容器装着部は、筒状の容器装着部を分割した舌状の複数の突片である。また、容器装着部は、同心状に複数設けられた突起である。テーパ部は、液体収容容器の挿入によって変形する薄肉状である。【選択図】図４
2020089414.tif 000002
【特許請求の範囲】
【請求項１】
一方側には開口方向に向かって拡開するテーパ部が設けられ、他方側には開口方向に向かって拡開する逆テーパ部と、この逆テーパ部に連続した雄ネジを有する円筒部を有し、前記テーパ部の内壁面には、液体を収容した容器の開口を挿入するための容器装着部が同心状に複数設けられたことを特徴とする調製液状乳の授乳器具。
【請求項２】
容器装着部は、テーパ部の内壁面から長手方向に向かって突出した筒状である請求項１記載の調製液状乳の授乳器具。
【請求項３】
容器装着部は、筒状の容器装着部を分割した舌状の複数の突片である請求項２記載の調製液状乳の授乳器具。
【請求項４】
容器装着部は、同心状に複数設けられた突起である請求項１記載の調製液状乳の授乳器具。
【請求項５】
テーパ部は、液体収容容器の挿入によって変形する薄肉状である請求項１〜４のいずれか記載の調製液状乳の授乳器具。
【発明の詳細な説明】
【技術分野】
【０００１】
この発明は、予め容器に封入された調製液状乳を別途容器に移し替えることなく、かつ乳首を装着して直接乳児に対して授乳することができる器具に関するものである。
【背景技術】
【０００２】
平成３０年に食品衛生法が一部改正され、一定の条件のもとで調製液状乳を市場に提供することができるようになった。調製液状乳とは、牛乳、牛乳若しくは特別牛乳又はこれらを原料として製造した食品を加工し、又は主要原料とし、これに乳幼児に必要な栄養素を加え液状にしたものをいう。そして、これらは常態において液体であるから今後さまざまな形態の容器に封入されて市場に提供されることが予想される。
【０００３】
また、この調製液状乳は、保護者が乳児を同伴して外出する際に外出先で粉ミルクを調製したり、外出前に粉ミルクを液状化して容器に入れて持ち運ぶ不便さを解消することを一つの目的とするものであるので、市販品は調製液状乳を何らかの容器に封入した状態で提供されることが予想される。したがって、容器の形態についてはその構成は製造者に委ねられており、種々のものが出現すると考えられる。
【先行技術文献】
【特許文献】
【０００４】
【特許文献１】特開２００９−１４９３６２号公報
【特許文献２】特開２００５−００１７２７号公報
【発明の概要】
【発明が解決しようとする課題】
【０００５】
特許文献１および２に示すように、従来の市場に提供される牛乳容器は紙製のものが一般的である。また、調製液状乳の製造者が液状乳を市場に提供する容器の構造としては、合成樹脂製の容器であって、開口側には周囲に雄ネジが形成され、キャップによって開口を封止するものや、開口をアルミニウムの薄膜でシールするものなど、様々な態様が予想される。また、開口径についても統一規格が定められていないため、複数の径の容器が提供されることも予想される。
【０００６】
そして、調製液状乳が封入される容器は、液状乳を提供する側が商品として市場に投入するものであるから、使い捨てを前提としている。そうすると、液状乳の容器が乳首を備えていれば便利である。しかしながら、発明者の知見によると、乳児は授乳に際して様々な乳首を与えるよりも慣れ親しんだ乳首を好む傾向があり、乳首を備えた使い捨て容器で授乳を行った場合には授乳を拒むおそれがある。
【０００７】
本発明では、このような種々の形態の開口を有する使い捨て容器に封入された調製液状乳を乳児に対して授乳する際に、慣れ親しんだ乳首を装着することができる器具を提供することを目的とするものである。
【課題を解決するための手段】
【０００８】
上記目的を達成するために、本発明の授乳器具は、一方側には開口方向に向かって拡開するテーパ部が設けられ、他方側には開口方向に向かって拡開する逆テーパ部と、この逆テーパ部に連続した雄ネジを有する円筒部を有し、前記テーパ部の内壁面には、液体を収容した容器の開口を挿入するための容器装着部が同心状に複数設けるという手段を用いた。ここで、テーパ部は液体の容器を装着するためのもので、装着に際しては容器装着部が機能し、この部位に容器の開口部を挿通する。一方、逆テーパ部は通常使用している乳首を雄ネジにキャップを螺合することによって装着する。
【０００９】
容器装着部は、複数の構造が適用され、その一つはテーパ部の内壁面から長手方向に向かって突出した筒状としている。さらに他の構成は、この筒状の容器装着部を円周方向に分割した舌状の複数の突片を同心状に設けるという手段を採用している。さらに別の構成として、容器装着部を同心状に複数設けられた突起とする手段を用いる。これらの構成はいずれも液体収容容器をテーパ部の内壁面に押し付けるように装着するための手段である。
【００１０】
また、テーパ部は、液体収容容器の挿入によって変形する薄肉状として、液体収容容器を装着した際に液漏れを防止する機能を付与している。
【発明の効果】
【００１１】
本発明器具は、予想される液体容器、特に調製液状乳の容器に広く適用することが可能なので、乳児に液状乳を授乳する際には本発明器具と、使い慣れた乳首を携帯するだけでよく、外出時に授乳する際に極めて便利である。
【図面の簡単な説明】
【００１２】
【図１】本発明の授乳器具を示した半截断面図。
【図２】同、斜視図。
【図３】同、調製液状乳の容器を装着したところを示す断面図。
【図４】同、さらに乳首を装着したところを示す断面図。
【図５】別の実施形態を示す半截断面図。
【図６】図５の実施形態の斜視図。
【図７】さらに別の実施形態を示す半截断面図。
【図８】図７の実施形態の斜視図。
【発明を実施するための形態】
【００１３】
以下、本発明の好ましい実施形態を図面に従って説明する。図１は本発明の実施形態の一例の授乳器具１の上半分を断面図として示したもので、具体的な構成としては、中央付近から調製液状乳の容器を装着する側（図面では右側）に向かって円筒を徐々に拡げたテーパ部２を有し、乳首を装着する側（図面では左側）は中央部から拡開する逆テーパ部３を有している。そして、逆テーパ部３の外側は円筒部４とし、その外周には雄ネジ５が設けられている。この雄ネジ５に対して、乳首を装着するための既存のキャップが螺合される。液状乳の装着側のテーパ部２の内壁面６からは、容器装着部として作用する円筒状の容器装着筒７が突出している。本実施形態では、容器装着筒７は同心状に７ａ、７ｂ、７ｃと３個配設されている。これら３個の容器装着筒７の機能は同じであり、複数の容器の口径に適合するようにされている。すなわち、装着する容器の口径が決まっているのであればその口径に応じた径に設定する。したがって、これら３個の装着筒は必ずしも等間隔に設けられるものではない。図２は本実施形態の授乳器具を、容器を装着する側から見たところを示す斜視図であり、容器装着筒７〜７が突出していることを確認することができる。
【００１４】
図３は液状乳の容器Ｃを装着したところを示す断面図であって、容器Ｃの装着によって授乳器具１のテーパ部２が外側に向かって変形しているところを説明している。なお、容器Ｃは本発明に必要な要素ではないが、口部Ｃ１にキャップを装着するためのネジ部Ｃ２が設けられている使い捨て容器を想定して説明している。そして、容器Ｃをテーパ部２の内面に設けられた容器装着筒７をガイドとして強く押し込むと、テーパ部２がその力によって外側に変形し、容器装着筒７と変形した部分によって容器の口部Ｃ１が密に接触する。これによって、液漏れを防止するようにしている。そのために、授乳器具１のテーパ部２は変形が容易な材質、たとえばポリエチレン、ポリプロピレンのような素材が好ましいが、テーパ部２の肉厚を薄くした場合に比較的容易に変形する材質であれば広く採用することが可能である。本器具を１回〜数回の使用で使い捨てることを予定する場合には、テーパ部２の容器装着筒７ａ〜７ｃ間は成形が許す極限まで薄肉としてもよい。なお、本実施形態では容器装着筒７ｂに対して液状乳の容器を装着したところを示しているが、容器装着筒７ｂと７ｃの間隔を好都合に設定することによって、液状乳の容器Ｃは容器装着筒７ｂと７ｃの間に挟まれることになるから、さらに確実に容器Ｃを装着することができる。
【００１５】
図４は、図３の液状乳の容器Ｃを本実施形態の授乳器具１に装着し、さらに乳首を装着したところを示しており、８は乳首、９は乳首８を哺乳瓶（図示せず）に装着するためのキャップである。このような構成にすれば、乳児が日ごろから親しんでいる乳首を用いることができるので、安定した授乳に資することができる。
【００１６】
本発明における授乳器具に必要なことは、第１に容器装着筒７によって容器Ｃの口部Ｃ１が確実に装着できることであり、容器装着筒７にはある程度の弾性が求められる。一方、第２に容器Ｃに詰められた液状乳が容易に漏れないように、テーパ部２の容器口部Ｃが当接する場所が変形して容器Ｃの口部Ｃ１の開口と密に接触させるためにテーパ部２は薄肉であることである。これらの必要な構成は、授乳器具１を一体成形する際に金型を設計する際に必要な個所を薄肉にすることによって実現することができる。なお、容器装着筒７は、本実施形態では３個設けられているが、その個数は特に限定されるものではなく、４個以上であっても本発明の作用効果を奏することができる。
【００１７】
図５は別の実施形態を示しており、図１に示す容器装着筒７が無端状の筒である構成に代えて、円周方向に分割して舌状の突片１０とした構成を採用している。なお、これら舌状の突片１０は図１の実施形態と同様に同心状に配置されている。この作用については基本的に図１の構成と変わるところはない。ただし、図１の構成では液状乳の容器の口部Ｃ１を差し込んだ場合に容器装着筒７と容器Ｃの開口の口径差によっては抵抗が大きくなるが、本実施形態の場合には舌状の突片１０はそれぞれが別個に動作し、かつ軽い力で拡開、あるいは縮径するので、ある程度の口径差は舌状の突片１０のそれぞれの変形によって吸収され、さらに装着が容易である。図６は舌状の突片１０を分かりやすく表現した斜視図である。
【００１８】
図７はさらに別の実施形態を示し、図１に示す容器装着筒７に代えて３列の同心状に配された複数の突起２０を有する構成である。本実施形態では、図示したように突起２０を３列設けた。図８には、突起２０の構成が容易に理解できるように斜視図として示している。
【００１９】
これら上記のそれぞれの実施形態に示されるように、本授乳器具は、複数の口径の液状乳の容器に適用することができる構成を備えており、しかも、乳首が装着されたキャップを確実に装着することができるので、外出時に調製液状乳を入手する場合でも特定の液状乳を探すという手間を省くことができ、利便性に富む構成とすることができた。
【符号の説明】
【００２０】
１  授乳器具
２  テーパ部
３  逆テーパ部
４  円筒部
５  雄ネジ
６  内壁面
７  容器装着筒
１０  舌状の突片
２０  突起
【図１】
2020089414.tif 000003
【図２】
2020089414.tif 000004
【図３】
2020089414.tif 000005
【図４】
2020089414.tif 000006
【図５】
2020089414.tif 000007
【図６】
2020089414.tif 000008
【図７】
2020089414.tif 000009
【図８】
2020089414.tif 000010